(57)【要約】【課題】この発明は、壁体内に収納可能な、トイレットペーパーを保持するための、トイレットペーパー保持具に関する。【解決手段】トイレットペーパー保持具１は、壁体２内に形成された収納用空間部３の壁面開口部４の一端側に開閉自在にその一端側が固定された扉５と、該扉５の内側において該扉５の内面方向へ移動するように付勢されるトイレットペーパー１００の芯６に収納される中心軸７と、前記扉５の他端側の内側に設けた前記トイレットペーパー１００の端部８を該扉５の内面に沿ってガイドするガイド部材９と、前記扉５の他端側縁に形成したトイレットペーパー切断刃１０と、そして、必要に応じて前記扉５に前記トイレットペーパー１００の残量を確認するための横穴１１と、前記扉５を開閉するための押引手段１２と、を具備している。【選択図】図２
2007289376.tif 000002
【特許請求の範囲】
【請求項１】
壁体内に形成された収納用空間部の壁面開口部の一端側に開閉自在にその一端側が固定された扉と、
該扉の内側において該扉の内面方向へ移動するように付勢されるトイレットペーパーの芯に収納される中心軸と、
前記扉の他端側の内側に設けた前記トイレットペーパーの端部を該扉の内面に沿ってガイドするガイド部材と、
前記扉の他端側縁に形成したトイレットペーパー切断刃とを具備することを特徴とするトイレットペーパー保持具。
【請求項２】
前記扉に前記トイレットペーパーの残量を確認するための横穴を具備することを特徴とする請求項１記載のトイレットペーパー保持具。
【請求項３】
前記扉を開閉するための押引手段を具備することを特徴とする請求項１又は２記載のトイレットペーパー保持具。
【発明の詳細な説明】
【技術分野】
【０００１】
この発明は、壁体内に収納可能な、トイレットペーパーを保持するための、トイレットペーパー保持具に関する。
【背景技術】
【０００２】
従来のトイレットペーパー１００を保持するための保持具１０１は、図８に示すように、トイレ空間１０２の壁体１０３に取付けられた前記保持具１０１が一般的に使用されている。また、図９に示すように、トイレ内にあるキャビネット１０４に開口部１０５を形成し、該キャビネット１０４に収納される状態と該キャビネット１０４から突出する状態との間でトイレットペーパー１００を保持する保持具１０６が開口部１０５を介して出入りするように、キャビネット１０４に保持具１０６を設けてなる前記トイレットペーパー１００の保持具１０６が知られている（例えば、特許文献１参照）。
【０００３】
【特許文献１】特開２０００−１２６０４８号公報
【発明の開示】
【発明が解決しようとする課題】
【０００４】
しかし、前述した、図８に示すような前記保持具１０１では、該保持具１０１が前記壁体１０３に取付けられている。そのため、前記トイレ空間１０２内の美観性を大きく損なうばかりではなく、便器１０７に座る際、若しくは該便器１０７から立上がる等の、トイレ空間１０２内における動作の際に、使用者の体の一部が保持具１０１と接触し、該保持具１０１が破損するばかりではなく、使用者が負傷する恐れもある。また、前述した、図９に示すような前記保持具１０６では、前記キャビネット１０４に該保持具１０６を収納することができる。しかし、その機構が複雑なものとなるばかりではなく、収納されるだけでは、トイレ空間１０２内の美観性を損なうことには相違ない。また、これらの従来技術においては、前記トイレットペーパー１００を切断した際の端部が、その切断の仕方によっては、切断後に該端部の発見が困難となり、後に該トイレットペーパー１００を使用する使用者にとって負担となる可能性がある。
【０００５】
この発明は、上記のような種々の課題を解決することを目的としてなされたものであって、トイレ空間内の美観性を損なうことがないだけではなく、壁体内に収納可能であるため動作の際の妨げとならず、さらに、トイレットペーパーを切断した後の端部を確実に引出すことができるトイレットペーパー保持具に関する。
【課題を解決するための手段】
【０００６】
上記目的を達成するために、請求項１記載のトイレットペーパー保持具は、壁体内に形成された収納用空間部の壁面開口部の一端側に開閉自在にその一端側が固定された扉と、該扉の内側において該扉の内面方向へ移動するように付勢されるトイレットペーパーの芯に収納される中心軸と、前記扉の他端側の内側に設けた前記トイレットペーパーの端部を該扉の内面に沿ってガイドするガイド部材と、前記扉の他端側縁に形成したトイレットペーパー切断刃とを具備することを特徴としている。
【０００７】
請求項２記載のトイレットペーパー保持具は、前記扉に前記トイレットペーパーの残量を確認するための横穴を具備することを特徴としている。
【０００８】
請求項３記載のトイレットペーパー保持具は、前記扉を開閉するための押引手段を具備することを特徴としている。
【発明の効果】
【０００９】
請求項１記載のトイレットペーパー保持具は、壁体内に形成された収納用空間部の壁面開口部の一端側に開閉自在にその一端側が固定された扉を具備している。そのため、トイレ空間内の美観性を損なうことなく、トイレットペーパー保持具を壁体内に収納することができる。さらに、トイレットペーパー保持具を壁体内に収納することで、前記便器に座る際、若しくは該便器から立上がる等の、前記トイレ空間内における動作の際に、使用者の体の一部がトイレットペーパー保持具と接触し、該トイレットペーパー保持具が破損したり、それにより使用者が負傷する、といった問題が生じることがない。また、前記扉の他端側縁に形成された前記トイレットペーパー切断刃を具備している。そのため、容易にトイレットペーパーを切断することができると共に、該扉が複数の機能を有しているため、トイレットペーパー保持具を構成する部品数が少なくなる。従って、外見がシンプルとなり、美観性を向上させると共に、製造効率に優れるという利点がある。さらに、前記扉の他端側の内側に設けた前記トイレットペーパーの端部を該扉の内面に沿ってガイドするガイド部材を具備している。そのため、トイレットペーパーを切断した後の端部を容易に引出すことができる。また、前記扉の内側において該扉の内面方向へ移動するように付勢されるトイレットペーパーの芯に収納される中心軸を具備している。そのため、トイレットペーパーを使用者が引出した際に回転する、該トイレットペーパーの回転を安定化させ引出しをスムーズにすることができることに加えて、トイレットペーパーの端部を扉の内面に沿って引出し易くしている。
【００１０】
請求項２記載のトイレットペーパー保持具は、前記扉に前記トイレットペーパーの残量を確認するための横穴を具備している。そのため、トイレットペーパーの有無と、その残量を外部から一目で確認することができ、該トイレットペーパーの補充時期を容易に知ることができる。
【００１１】
請求項３記載のトイレットペーパー保持具は、前記扉を開閉するための押引手段を具備している。そのため、トイレットペーパーを使用する際に、前記扉の開閉が容易なものとなる。
【発明を実施するための最良の形態】
【００１２】
この発明のトイレットペーパー保持具１の最良の実施形態について以下図２に基づいて説明する。この実施例のトイレットペーパー保持具１は、壁体２内に形成された収納用空間部３の壁面開口部４の一端側に開閉自在にその一端側が固定された扉５と、該扉５の内側において該扉５の内面方向へ移動するように付勢されるトイレットペーパー１００の芯６に収納される中心軸７と、前記扉５の他端側の内側に設けた前記トイレットペーパー１００の端部８を該扉５の内面に沿ってガイドするガイド部材９と、前記扉５の他端側縁に形成したトイレットペーパー切断刃１０と、そして、必要に応じて前記扉５に前記トイレットペーパー１００の残量を確認するための横穴１１と、前記扉５を開閉するための押引手段１２と、を具備している。
【００１３】
前記収納用空間部３は、図２に示すように構成されている壁体２内に、前壁板１３、後壁板１４、柱体１５、及び横架材１６により壁体内空間部１７が形成され、該壁体内空間部１７に、収納壁１８により形成されている。そして、収納用空間部３には、図２に示すように、前壁板１３が除去されて、壁面開口部４が設けられている。収納用空間部３の形状は図２に示すように、例えば略直方体であり、前記トイレットペーパー１００及びその他の上述の部材を収納することができる空間があれば、例えば、半球状、その他の形状であってもよい。
【００１４】
さらに、壁体２の構造上、前記収納用空間部３に隣接して、図２に示すように、他の前記壁体内空間部１７が存在するため、これらを、予備の取換用トイレットペーパーを収納するために使用することができる。また、壁体内空間部１７に複数の収納用空間部３を設け、そのそれぞれに、前記トイレットペーパー保持具１を設けてもよい。そうすることで、例えば、硬いトイレットペーパーや、柔らかいトイレットペーパーなど、用途や使用目的に応じて色々使い分けることができ、又、万一一つのトイレットペーパー保持具１のトイレットペーパー１００が消費し終えた時の予備としても使用できる。
【００１５】
さらに、前記壁面開口部４には、該壁面開口部４の幅方向の上方他端部に取付けられた、前記扉５を開閉するための押引手段１２を具備している。押引手段１２は、例えば、所定荷重を加えるごとに保持状態と開放状態が切換わる、図には示されていない、内部に弾性機構、及び固定用のマグネットを具備した押引手段１２であり、前記保持状態から前記開放状態に切換わる際に、前記弾性機構により前記扉５を壁面開口部４と離反方向へ押出して、該扉５を開放するものである。また、扉５が磁性を有する材料を用いる場合には、押引手段１２の前記マグネットにより該扉５を閉じた状態に固定することができる。しかし、扉５が磁性を有しない材料である場合には、押引手段１２と対応する該扉５の内側に、磁性を有する磁性片を取付けてもよい。そのため、扉５を閉鎖している時には、前記マグネットで該扉５が固定され、意に反して開くことがない。そして、扉５を開放する際には、該扉５の他端側を軽く押すだけで、前記弾性機構により該扉５が開くので、容易に該扉を開放することができる。
【００１６】
前記扉５は、図２に示すように、前記壁体２内に形成された前記収納用空間部３の前記壁面開口部４の一端に上下端を収納壁１８に固定された取付軸５１によって開閉自在にその一端側が固定されている。そして、取付軸５１の上下両端部には、コイル中心軸周りに、ねじりモーメントを受ける、ねじりコイルバネ５２が取付けられている。そのため、前述したように扉５を開放する際には、該扉５の開放する方向にねじりコイルバネ５２の弾性力が作用し、該扉５の開放がさらに容易になると共に、扉５を開放した際には、前述のねじりコイルバネ５２の弾性力の作用により、意に反して扉５が閉まることがない。また、扉５の形状は、図２に示すように、例えば略長方形であり、壁面開口部４と略同等の大きさである。しかし、扉５の形状は、前述したものに限定されるわけではなく、壁面開口部４を覆うようなものであれば、例えば、円形、楕円形、その他の形状であってもよい。
【００１７】
また、前記扉５の外側の他端付近には、図６に示すように、表示部１９が形成されている。該表示部１９は、扉５を開放する際に、該扉５の押す箇所を使用者が容易に認識できるようにするためのものである。表示部１９の表示は、図６に示すように、例えば意匠模様１９aと文字１９bを組合わせたものが用いられるが、それらに限定されるものではなく、それぞれ意匠模様１９a、文字１９bのみからなるものであってもよい。
【００１８】
また、前記扉５の他端側縁には図６に示すように、前記トイレットペーパー切断刃１０が形成されている。該トイレットペーパー切断刃１０は扉５の他端側縁部を、例えば図５に示すように、該扉５の肉厚よりも薄く加工し、さらに該扉５の他端側縁部の幅方向に渡って、複数の突起２０が形成されたものを使用することができる。しかし、トイレットペーパー切断刃１０の形状は前述のものに限定するものではなく、例えば、突起２０を設けずに、扉５の他端側縁部を薄く加工したもの、若しくは該突起２０を該記扉５の他端側縁部の一部だけに形成したもの等を使用してもよい。
【００１９】
また、前記扉５には前記トイレットペーパー１００の残量を確認するための前記横穴１１が形成されている。該横穴１１によって、トイレットペーパー１００の残量、すなわちその外周の大きさを、外部から一目で確認することができ、該トイレットペーパー１００の補充時期や有無を容易に知ることができる。この横穴１１は扉５の一端側から他端側方向へ貫通していれば、他の意匠模様であってもよい。
【００２０】
前記ガイド部材９は、前記扉５の他端側の内側に設けられ、前記トイレットペーパー１００の端部８を該扉５の内面に沿ってガイドするものである。ガイド部材９は、図７に示すように、扉５の内側の下端部付近から、該扉５と略一定の間隔を保ち、該扉５の上端方向へ伸びるような、例えば、棒状のガイド部材９である。前述したように、トイレットペーパー１００を切断した際の端部８が、その切断の仕方によっては、切断後に該端部８の発見が困難となり、後に該トイレットペーパー１００を使用する使用者にとって負担となる。しかし、ガイド部材９を用いることで、トイレットペーパー１００を切断した後の端部８が該ガイド部材９により前記扉５の内面に沿うように保持されるため、使用者が容易に該トイレットペーパー１００の先端を引出すことができる。また、ガイド部材９の形状は図７に示すような形状に限定されるものではなく、例えば、前述のような棒状の該ガイド部材９を２本用いてもよいし、板状のものであってもよい。さらに、それらのガイド部材９がトイレットペーパー１００を微小な力で、扉５に付勢するように該トイレットペーパー１００を保持するものであってもよい。
【００２１】
前記中心軸７は、図７に示すように、扉５の一端側の前記取付軸５１の下方に、その一端側が回転自在に固定されたアーム２２の他端側に鉛直方向に設けられている。そして、中心軸７は、扉５の下端部付近に取付けられたＬ字片２４aに一端が係止され、アーム２２の他端側の下方に取付けられたＬ字片２４bに他端が係止された、例えば、バネ２３等の弾性体によって、該扉５の内面方向へ移動するように付勢されている。そして、トイレットペーパー１００の前記芯６内に、中心軸７が収納されることによって、トイレットペーパー１００を回転自在に支持するものである。また、中心軸７の太さは、図４に示すように、該中心軸７の太さを、芯６と略同等の太さとしている。これにより、トイレットペーパー１００を引出した際の、その回転を安定させて、該トイレットペーパー１００をスムーズに引出すことができるようにしている。
【００２２】
さらに、図４に示すように、トイレットペーパー１００の残量が少なくなってきた時には、該トイレットペーパー１００の半径が小さくなるが、バネ２３により中心軸７が扉５の内面方向へ付勢されるので、該中心軸７と共に該トイレットペーパー１００も該扉５の内面方向へ付勢される。従って、前述のように中心軸７の太さを前記芯６と略同等にすることで、トイレットペーパー１００の引出しをスムーズにしたことに加えて、該トイレットペーパー１００引出し時の回転のぶれを抑制することができ、よりスムーズに該トイレットペーパー１００を引出すことが可能となる。さらに、トイレットペーパー１００の前記端部８が扉５の内面に確実に沿うため、前記ガイド部材９から該端部８が外れにくくなるという効果もある。
【００２３】
また、トイレットペーパー１００を取付ける際には、上方から中心軸７を該トイレットペーパー１００の芯６に挿入するように取付けるだけでよい。そして、トイレットペーパー１００の取付け方向は、図４の２点鎖線に示すように、トイレットペーパー１００の端部８が扉５の内面に沿うように取付けるのが、該トイレットペーパー１００の端部８がガイド部材９から外れることがなく好ましい。
【産業上の利用可能性】
【００２４】
この発明のトイレットペーパー保持具１は、一般の住宅の他にも、意匠性が要求される、例えば、カフェやデパートのような場所のトイレ空間１０２、更には、該トイレットペーパー保持具を複数個取付けても、使用者のトイレ空間１０２内における動作の妨げにならないことから、高齢者、身体障害者用の施設のトイレ空間１０２にも有効に使用することができる。
【図面の簡単な説明】
【００２５】
【図１】本願トイレットペーパー保持具の取付け全体斜視図
【図２】本願トイレットペーパー保持具の取付け位置を示す図
【図３】図２のＡ-Ａ側断面図
【図４】トイレットペーパーが減少する様子を示す図
【図５】扉を開閉する様子を示す図
【図６】本願トイレットペーパー保持具の正面図
【図７】本願トイレットペーパー保持具の背面図
【図８】従来技術の全体斜視図
【図９】他の従来技術の全体斜視図
【符号の説明】
【００２６】
１      トイレットペーパー保持具
２      壁体
３      収納用空間部
４      壁面開口部
５      扉
７      中心軸
９      ガイド部材
１０    トイレットペーパー切断刃
１１    横穴
１２    押引手段
２３    バネ
【図１】
2007289376.tif 000003
【図２】
2007289376.tif 000004
【図３】
2007289376.tif 000005
【図４】
2007289376.tif 000006
【図５】
2007289376.tif 000007
【図６】
2007289376.tif 000008
【図７】
2007289376.tif 000009
【図８】
2007289376.tif 000010
【図９】
2007289376.tif 000011